(57)【要約】      （修正有）【課題】置く、壁に掛けるなど様々な設置方法を具え、構造が簡単なフレームを提供する。【解決手段】前方フレームと、後方フレームとを含んでなり、該前方、後方フレームが、予め規格された外観に形成され、フレームの端縁部の内側面にはカラー印刷方法で色、或いは図案などが形成され、互いに金型を加熱して真空にする方法で立体的なレリーフを形成し、前方、後方フレームの間に写真を挟み込む。【選択図】図１−１
0003144844.tif 000002
【実用新案登録請求の範囲】
【請求項１】
前方フレームと、後方フレームとを含んでなり、
該前方、後方フレームが、予め規格された外観に形成され、フレームの端縁部の内側面にはカラー印刷で色、或いは図案などが形成され、互いに金型を加熱し真空にして立体的なレリーフを形成し、前方、後方フレームの間に写真を挟み込むことを特徴とするフレーム。
【請求項２】
一体に成型され、接続、或いは接続しない前方、後方フレームを含んでなり、
該前方、後方フレームが、予め規格された外観を形成し、端縁部の内面にカラー印刷で色、或いは図案を印刷して、互いに金型を合わせて加熱し真空にして立体的なレリーフを形成し、前方、後方フレームの間に写真を挟み込むとともに、前方中央に空間を形成することを特徴とするフレーム。
【請求項３】
前記前方、後方フレームが、ＰＥＴなど単一の熱可塑性樹脂を基本材料として形成することを特徴とする請求項１、又は２に記載のフレーム。
【請求項４】
前記前方、後方フレームが、様々な幾何学の形状や、アニメの図案、従来の木製のフレーム、芸術的な形状、金属を模した形状、特別なテーマの形状に形成されることを特徴とする請求項１、又は２に記載のフレーム。
【請求項５】
前記前方、後方フレームが、挟み込んで設ける写真を、図案、賞状、証書、書状などに交換することができることを特徴とする請求項１、又は２に記載のフレーム。
【請求項６】
前記前方、後方フレームが、上方、或いは背面の端縁部に隣接する適宜な位置に壁に掛けるために供する孔を形成することを特徴とする請求項１、又は２に記載のフレーム。
【請求項７】
前記後方フレームが、下方端縁部の適宜な位置に外方向に突出した設置空間を具えてなることを特徴とする請求項１、又は２に記載のフレーム。
【請求項８】
前記設置空間が内部に金属ブロックを設けて重心を安定することができることを特徴とする請求項７に記載のフレーム。
【請求項９】
前記設置空間が、円弧面を具えたおきあがりこぼし形状に形成することを特徴とする請求項７に記載のフレーム。
【請求項１０】
前記設置空間が、多辺形で安定して立たせることができる形状に形成することを特徴とする請求項７に記載のフレーム。
【請求項１１】
前記前方フレームが、下方端縁部の適宜な位置に外方向に突出した設置空間を具えてなることを特徴とする請求項１、又は２に記載のフレーム。
【請求項１２】
前記フレームが、外フレームに接続し、該外フレームが、印刷或いは描かれた図案を通して押し圧し、切断して成型されるとともに、中央に写真を表示するウィンドウを具えてなることを特徴とする請求項１、又は２に記載のフレーム。
【請求項１３】
前記外フレームが、係合、或いは粘着でフレームに一体に接続されることを特徴とする請求項１２に記載のフレーム。
【考案の詳細な説明】
【技術分野】
【０００１】
この考案は、フレームに関し、特に用途に応じてさまざまなものを飾ることができるフレームに関する。
【背景技術】
【０００２】
従来のフレームは、プラスチック、アクリル、金属、木から形成された外フレームを含んでなり、該外フレームの内側に写真を嵌合し、該写真の背面を底板で被覆するとともに、周囲に設けられた複数の位置決め部材で底板を外フレームに固定して写真を飾り、室内などの装飾を高める目的を達成する。
【０００３】
しかしながら、前述のフレームは通常、使用者の需要を満たすために、外観のデザインや形態に様々な材料を多用して組み合わせる。
【０００４】
よって、該フレームの生産工程が複雑になるが、機能は一つしかないため、一定の期間が過ぎると、使用者から飽きられ、捨てられる。
【０００５】
また、使用者が新しい商品を購入して交換し、古いフレームを廃棄すると、多くの廃棄物が発生する。
【０００６】
しかしながら、一部の材料は単価が高く、廃棄することは、それらの材料を無駄にするとともに、金額的に無駄を産み出すことにもなる。また、該フレームは、廃棄した後に処理し難く、二次的な環境保護の問題が発生する。
【０００７】
さらに、前述のフレームの最大の問題は、写真を嵌合することが不便なことである。該フレームは、底板と外フレームとを接続するために複数の位置に設けられた位置決め部材で固定しなければならないため、写真を交換する場合の過程が煩雑で使用者にとって不便で、実用的でない。
【考案の開示】
【考案が解決しようとする課題】
【０００８】
この考案は、置く、壁に掛けるなど様々な設置方法を具え、構造が簡単なフレームを提供することを課題とする。
【課題を解決するための手段】
【０００９】
そこで、本考案者は従来の技術に見られる欠点に鑑みて鋭意研究を重ねた結果、前方フレームと、後方フレームとを含んでなり、
該前方、後方フレームが、予め規格された外観に形成され、フレームの端縁部の内側面にはカラー印刷方法で色、或いは図案などが形成され、互いに金型を加熱して真空にする方法で立体的なレリーフを形成し、前方、後方フレームの間に写真を挟み込むという目的を達成することができる構造からなるフレームによって課題を解決できる点に着眼し、かかる知見に基づいて本考案を完成させた。
【００１０】
以下、この考案について具体的に説明する。
請求項１に記載のフレームは、前方フレームと、後方フレームとを含んでなり、
該前方、後方フレームが、予め規格された外観に形成され、フレームの端縁部の内側面にはカラー印刷方法で色、或いは図案などが形成され、互いに金型を加熱して真空にする方法で立体的なレリーフを形成し、前方、後方フレームの間に写真を挟み込む。
【００１１】
請求項２に記載のフレームは、一体に成型され、接続、或いは接続しない前方、後方フレームを含んでなり、
該前方、後方フレームが、予め規格された外観を形成し、端縁部の内面にカラー印刷方法で色、或いは図案を印刷して、互いに金型を合わせて加熱し、真空にする方法で立体的なレリーフを形成し、前方、後方フレームの間に写真を挟み込むとともに、前方中央に空間を形成する。
【００１２】
請求項３に記載のフレームは、請求項１、或いは２における前方、後方フレームが、環境保護の効果を供えたＰＥＴなど単一の熱可塑性樹脂を基本材料として形成する。
【００１３】
請求項４に記載のフレームは、請求項１、或いは２における前方、後方フレームが、様々な幾何学の形状や、アニメの図案、従来の木製のフレーム、芸術的な形状、金属を模した形状、特別なテーマの形状に形成される。
【００１４】
請求項５に記載のフレームは、請求項１、或いは２における前方、後方フレームが、挟み込んで設ける写真を、図案、賞状、証書、書状などに交換する。
【００１５】
請求項６に記載のフレームは、請求項１、或いは２における前方、後方フレームが、上方、或いは背面の端縁部に隣接する適宜な位置に壁に掛けるために供する孔を形成する。
【００１６】
請求項７に記載のフレームは、請求項１、或いは２における後方フレームが、下方端縁部の適宜な位置に外方向に突出した設置空間を具えてなる。
【００１７】
請求項８に記載のフレームは、請求項７における設置空間が内部に金属ブロックを設けて重心を安定することができる。
【００１８】
請求項９に記載のフレームは、請求項７における設置空間が、円弧面を具えたおきあがりこぼしのような形状に形成する。
【００１９】
請求項１０に記載のフレームは、請求項７における設置空間が、多辺形で安定して立たせることができる形状に形成する。
【００２０】
請求項１１に記載のフレームは、請求項１、或いは２における前方フレームが、下方端縁部の適宜な位置に外方向に突出した設置空間を具えてなる。
【００２１】
請求項１２に記載のフレームは、請求項１、或いは２におけるフレームが、外フレームに接続し、該外フレームが、印刷或いは描かれた図案を通して押し圧し、切断して成型されるとともに、中央に写真を表示するウィンドウを具えてなる。
【００２２】
請求項１３に記載のフレームは、請求項１２における外フレームが、係合、或いは粘着方法でフレームに一体に接続される。
【考案の効果】
【００２３】
この考案によるフレームは、製造が簡単で、コストを抑えるとともに、資源が回収し易く、製品の競争力を高めるという効果を有する。
【００２４】
また、この考案によるフレームは、写真に関連する記念品や小物も飾ることができ、外観のデザインを多様に変化させることができるため、写真を楽しむ効果を高めるとともに、常に新鮮な楽しさを味わうことができるという効果を有する。
【考案を実施するための最良の形態】
【００２５】
この考案は、置く、壁に掛けるなど様々な設置方法を具え、構造が簡単なフレームであって、前方フレームと、後方フレームとを含んでなり、
該前方、後方フレームが、予め規格された外観に形成され、フレームの端縁部の内側面にはカラー印刷方法で色、或いは図案などが形成され、互いに金型を加熱して真空にする方法で立体的なレリーフを形成し、前方、後方フレームの間に写真を挟み込むフレームの構造と特徴を詳述するために具体的な実施例を挙げ、図示を参照にして以下に説明する。
【実施例】
【００２６】
図１―１から図３は、この考案のフレームの分解図、組み合わせ図、断面図を示したものである。図面によれば、フレーム１は、一体に接続して成形されるか、或いは接続しないで形成された前方フレーム１０と、後方フレーム２０とを含んでなる。
【００２７】
該前方、後方フレーム１０、２０は、製造において、環境保護の効果を具えた単一の熱可塑性樹脂材料（例えばＰＥＴ、ｐｏｌｙｔｈｌｅｎｅ  ｔｅｒｅｐｈｔｈａｌａｔｅ）を基本材料として、予め規格された外観（様々な幾何学模様、アニメの図案、伝統的な木のフレームの形、芸術的なデザイン、金属型、特殊なテーマに形成された形など）を形成し、カラー印刷の方法で色、或いは図案を合わせる。
【００２８】
その後、相互に金型を合わせて、加熱して真空にする方法により立体的なレリーフを形成して、彩色した図案に反映させて、装飾的、視覚的な効果を高める目的を達成するフレーム１を形成する。
【００２９】
使用する場合には、前方、後方フレーム１０、２０の間に写真、図案、賞状、証明書、書状などを挟み込む。上方、或いは背面の端縁部に隣接する適宜な位置には掛合するために供する孔１１、２１が形成されているため、フレーム１をつるして設ける。
【００３０】
図４、５は、この考案の他の実施形態を示したものである。図面によれば、フレーム１の後方フレーム２０は、下方端縁部に隣接する位置に外方向に向けて突出した設置空間２２を具えてなる。該設置空間２２は、小物３０を設けるために供するとともに、フレーム１を置くときにフレーム１を支持するために供する。
【００３１】
図６に開示するように、使用する場合、フレーム１の内部に飾りたい写真を設けて、設置空間２２の内部に該写真に関係する記念品などを設けることができる。よって、写真とともに記念品も鑑賞することができ、写真を楽しむ効果を高めることができる。
【００３２】
図７に開示するように、該設置空間２２は、フレーム１を立てて設ける場合に該フレーム１を支持するために供することができる。
【００３３】
しかしながら、重心が不安定なため、傾斜して倒れる状況が発生することがある。よって、このような状況を防ぐため、設置空間２２の内部に金属ブロック２３を設けて、重心を安定させることができる。
【００３４】
図８に開示するように、該設置空間２２は外観の形状に制限がなく、円弧状の麺に形成して揺れ動くことができるおきあがりこぼしのような形態に形成するか、或いは多辺形に形成して安定して立たせることができる形態に形成してもよい。
【００３５】
図９、１０は、この考案のフレームのその他の実施形態の組み合わせ図を断面図とを示したものである。図面によれば、フレーム１は、前方フレーム１０の下方端縁部に隣接する適宜な位置に外方向に突出した設置空間１２を設けてなる。
【００３６】
該設置空間１２は、フレーム１に飾る写真に関連する記念品や、小物３０を飾るために供し、写真を楽しむ効果を高めることができる。また、フレーム１を壁に掛けて設ける場合に壁面から浮いた状態で貼着して不安定になる状況を防ぐことができる。
【００３７】
図１１に開示するように、使用する場合、前方、後方フレーム１０、２０の間に写真、図案、賞状、証書、書状などを挟み込む。該設置空間１２の内部にも写真、賞状などに関係する景品やバッチなどを設けてオリジナル性を高めるとともに、自分を励ましたり、美観を高める目的を達成することができる。
【００３８】
図１２に開示するように、フレーム１を置く、壁に掛ける場合に備えて端縁部を予め設計されたデザインに形成することができる。
【００３９】
例えば、パズルのピースの形状を具えた幾何学の形や、アニメの図案、従来の木製フレーム、芸術的なデザイン、金属を模した形状、特別なテーマの形状など、いずれも外観の華麗さや美観、趣味、オリジナル性などの価値観を高め、実用性を具えるとともに、美観と視覚的な装飾効果を具えるという目的を達成することができる。
【００４０】
図１３に開示するように、該フレーム１は、前方フレーム１０の中央に空間１３を形成し、該空間１３の端縁部と後方フレーム２０との間に写真、図案、賞状、証書、書状などを挟み込んでもよい。前述のフレーム１は、材料を削減し、コストを抑えるという目的を達成することができる。
【００４１】
図１４に開示するように、フレーム１を大量に運送する、運送或いは収納する場合、フレーム１を開いて積み重ねてもよい。よって、積み重ねる堆積を有効に縮小することができ、経済的な効果も得られるという目的を達成することができる。
【００４２】
また、この考案のフレーム１は、無色（透明）或いは原色（素色）を採用し、加熱して真空にする方法で成型した後、様々な形状、色、図案を具えた外フレーム４０を接続して多様な形態を形成してもよい。
【００４３】
図１５に開示するように、外観に花模様や、様々な形状にしてデザイン性を高め、多様化するだけでなく、組み合わせも簡単である。
【００４４】
図１６、１７に開示するように、外フレーム４０は、熱可塑性樹脂材料、紙類、木製の平板を基本材料として、予め印刷、或いは描かれた図案を通して押し圧、切断して成型するとともに、中央に写真を展示するためのウィンドウ４１を設ける。
【００４５】
使用する場合、異なる需要に合わせて外観の花柄や形状を交換することができるため、デザインが活性化されるとともに、すばやく新鮮で、面白く楽しい感じを得ることができる。
【００４６】
図１８は、同じ端縁部の外フレーム４０を接続したフレーム１を示したものである。図面によれば、外フレーム４０は、係合する方法でフレーム１に接続して固定する。
【００４７】
該フレーム１は、熱可塑性樹脂材料を加熱して真空にする方法で成型（彩色しない、花柄、図案）に成型し、前方、後方フレーム１０、２０を成型する場合、その上下端縁部の適宜な位置に凹設した接続部１４、２４を設ける。
【００４８】
該外フレーム４０は、フレーム１と尾暗示単一の熱可塑性樹脂材料から形成し、中空のウィンドウ４１を具えてなるとともに、予め色、花柄、或いは図案などを印刷し、上下端縁部に隣接する適宜な位置に突出して係合部４２を設けてなる。
【００４９】
よって、外フレーム４０をフレーム１に近づけて貼着し、係合部４２を接続部１４、２４の内部に挿入、係合して互いに接続する目的を達成する。
【００５０】
前述の接続方法は、非常に簡単ですばやく実施することができるとともに、異なる色、花柄、図案の外フレーム４０に自由に変えることができ、フレーム１の形態が多様化する。
【００５１】
図１９は、この考案のフレーム１と同じ端縁部を具えた外フレーム４０を接続した状態を示したものである。図面によれば、上述の彩色しない、花柄、図案を具えた素色のフレーム１と同様に、この実施形態では、該外フレーム４０と接続する位置、即ち前方フレーム１０の接続部１４の周辺の平面の適宜な位置に粘着体などを設ける。
【００５２】
よって、粘着する方法で予め色、花柄、図案などを印刷した外フレーム４０とフレーム１とをすばやく一体に接続することができる。
【００５３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００５４】
【図１−１】この考案のフレームを示した説明図である。
【図１−２】この考案のフレームを示した他の説明図である。
【図２】この考案のフレームを組み合わせた状態を示した斜視図である。
【図３】この考案のフレームを示した断面図である。
【図４】この考案のフレームの他の実施形態を示した分解図である。
【図５】この考案のフレームの他の実施形態を組み合わせた状態を示した説明図である。
【図６】この考案のフレームの他の実施形態の使用状態を示した説明図である。
【図７】この考案のフレームの他の実施形態を示した説明図である。
【図８】この考案のフレームの他の実施形態の異なる二種類の設置空間を示した断面図である。
【図９】この考案のフレームのその他の実施形態を示した斜視図である。
【図１０】この考案のフレームのその他の実施形態の異なる二種類の設置空間を示した断面図である。
【図１１】この考案のフレームのその他の実施形態の使用状態を示した斜視図である。
【図１２】図２、図９に開示したフレームの使用状態を示した斜視図である。
【図１３】この考案のフレームの別の実施形態を示した説明図である。
【図１４】この考案のフレームの別の実施形態の使用状態を示した説明図である。
【図１５】この考案のフレームのさらにその他の実施形態のフレームと外フレームとを示した説明図である。
【図１６】この考案のフレームのさらにその他の実施形態を示した説明図である。
【図１７】この考案のフレームのさらにその他の実施形態を示した断面図である。
【図１８】この考案のフレームのさらにその他の実施形態のフレームと外フレームとの接続状態を示した断面図である。
【図１９】この考案のフレームのさらにその他の実施形態のフレームと外フレームの接続状態を示した断面図である。
【符号の説明】
【００５５】
１       フレーム
１０     前方フレーム
１１     孔
１２     設置空間
１３     空間
１４     接続部
２０     後方フレーム
２１     孔
２２     設置空間
２３     金属ブロック
２４     接続部
３０     小物
４０     外フレーム
４１     ウィンドウ
４２     係合部
【図１−１】
0003144844.tif 000003
【図１−２】
0003144844.tif 000004
【図２】
0003144844.tif 000005
【図３】
0003144844.tif 000006
【図４】
0003144844.tif 000007
【図５】
0003144844.tif 000008
【図６】
0003144844.tif 000009
【図７】
0003144844.tif 000010
【図８】
0003144844.tif 000011
【図９】
0003144844.tif 000012
【図１０】
0003144844.tif 000013
【図１１】
0003144844.tif 000014
【図１２】
0003144844.tif 000015
【図１３】
0003144844.tif 000016
【図１４】
0003144844.tif 000017
【図１５】
0003144844.tif 000018
【図１６】
0003144844.tif 000019
【図１７】
0003144844.tif 000020
【図１８】
0003144844.tif 000021
【図１９】
0003144844.tif 000022
【手続補正書】
【提出日】平成20年8月13日(2008.8.13)
【手続補正１】
【補正対象書類名】図面
【補正対象項目名】図１５
【補正方法】変更
【補正の内容】
【図１５】
0003144844.tif 000023
【手続補正２】
【補正対象書類名】図面
【補正対象項目名】図１６
【補正方法】変更
【補正の内容】
【図１６】
0003144844.tif 000024